(57)【要約】【課題】遊技者が適切に喫煙休憩を取ることができる遊技場用管理システムを提供する。【解決手段】遊技場用管理システムでは、喫煙休憩の開始に際して喫煙開始操作をすることにより明確に喫煙休憩中であることを示すことができるので、喫煙休憩中に空台とみなされて自分の遊技機が整理されてしまうことがない。また、喫煙所内では喫煙休憩中の遊技機の識別情報が表示されるため、遊技者に対して喫煙休憩中であることを明示し、喫煙後は速やかに遊技機へ戻ることを意識付けることができる。【選択図】図７
2020058451.tif 000002
【特許請求の範囲】
【請求項１】
複数の遊技機が設置されるとともに、遊技機とは異なる位置に喫煙所が設けられた遊技場における遊技場用管理システムであって、
各遊技機において、遊技者が喫煙休憩を開始する際に、当該遊技者又は従業員が操作する喫煙開始操作手段と、
この喫煙開始操作手段の操作に基づいて、喫煙休憩状態にある遊技機の識別情報を記憶する喫煙情報記憶手段と、
各遊技機に設けられ、前記喫煙開始操作手段の操作に基づいて、当該遊技機が喫煙休憩状態であることを識別可能な情報を表示する遊技情報表示手段と、
前記喫煙所に設けられ、前記喫煙情報記憶手段の記憶内容に基づいて現在喫煙状態にある遊技機の識別情報を表示する喫煙所表示手段と、を備えたことを特徴とする遊技場用管理システム。
【請求項２】
前記喫煙所表示手段は、各遊技機について、喫煙休憩状態を開始してからの経過時間を識別可能な情報を表示することを特徴とする請求項１に記載した遊技場用管理システム。
【請求項３】
前記遊技情報表示手段は、前記喫煙休憩状態が終了した時点からの遊技情報を区別して集計し、表示することが可能に構成されたことを特徴とする請求項１又は２に記載した遊技場用管理システム。
【発明の詳細な説明】
【技術分野】
【０００１】
本発明は、遊技場用管理システムに関する。
【背景技術】
【０００２】
昨今の受動喫煙防止及び健康増進の要請を受け、各遊技場においては遊技中の喫煙を禁止するとともに、遊技場内の一角に喫煙所を設けるよう努めている。この場合、喫煙をする遊技者は遊技を一旦中断して喫煙所へ移動しなければならないが、喫煙しているときに遊技機が空席とみなされて、残っている持玉や入金残高が従業員に整理されてしまうという事態が発生する恐れがある。また、遊技場側にとっては、各遊技者の喫煙時間が長くなればなるほど遊技機の稼動率が低下してしまうという問題もある。
【先行技術文献】
【特許文献】
【０００３】
【特許文献１】特開２０１５−０２９６９０号公報
【発明の概要】
【発明が解決しようとする課題】
【０００４】
本発明は、上記した事情に鑑みてなされたもので、その目的は、遊技者が適切に喫煙休憩を取ることができる遊技場用管理システムを提供することにある。
【課題を解決するための手段】
【０００５】
喫煙休憩の開始に際して喫煙開始操作をすることにより明確に喫煙休憩中であることを示すことができるので、喫煙休憩中に空台とみなされて自分の遊技機が整理されてしまうことがない。また、喫煙所内では喫煙休憩中の遊技機の識別情報が表示されるため、遊技者に対して喫煙休憩中であることを明示し、喫煙後は速やかに遊技機へ戻ることを意識付けることができる。
【図面の簡単な説明】
【０００６】
【図１】本発明の一実施形態を示す全体構成図
【図２】遊技情報表示装置の正面図
【図３】遊技情報表示装置を中心に示す機能ブロック図
【図４】喫煙所用表示装置を中心に示す機能ブロック図
【図５】遊技情報表示装置での喫煙休憩ボタン押下時の画面を示す図
【図６】遊技情報表示装置で表示される喫煙休憩中の画面を示す図
【図７】喫煙所用表示装置で表示される台番一覧の画面を示す図
【図８】喫煙所用表示装置における表示処理の流れを示すフローチャート
【発明を実施するための形態】
【０００７】
以下、本発明の一実施形態について図面を参照して説明する。
図１は、遊技場用管理システム１００の全体構成を概略的に示している。遊技場内には、多数の遊技機１が設置されており、各遊技機１に対応して計数貸出ユニット２及び遊技情報表示装置３がそれぞれ付設されている。遊技機１、計数貸出ユニット２及び遊技情報表示装置３は、２台ずつ中継装置４に接続されている。中継装置４は、ＬＡＮ５を介して管理装置６に接続されている。
【０００８】
また、遊技場内には、景品交換端末（以下、ＰＯＳ）７が設置されており、このＰＯＳ７もＬＡＮ５を介して管理装置６と接続されている。ＰＯＳ７は、付属するカード処理機７ａで一般カードや会員カード（図１の符号８，９参照）を読取って遊技価値（計数玉数・貯玉数）を特定し、その遊技価値に基づき景品交換処理を行う。
管理装置６は、遊技場内の例えば事務所等に設置されており、モニタ６ａ、キーボード６ｂ等が接続されている。管理装置６は、遊技機１、計数貸出ユニット２、遊技情報表示装置３等、上記した各種機器から出力される遊技信号を入力することで、各種機器の稼動状況を管理する。
【０００９】
図１では図示を省略したが、同図のパチンコ機の他、所謂スロットマシンも含めて例えば数百台の遊技機１が管理装置６の管理対象となっており、遊技場内に形成された複数の遊技機島に、それら遊技機１側の機器が設置されている。また、本実施形態の遊技場にあっては、遊技機１での遊技中の喫煙を禁止しており、遊技機１とは異なる位置（遊技機島から離間した位置）となる、当該場内の一角に喫煙所ＳＡを設けている。喫煙所ＳＡにおいては、喫煙する遊技者向けの喫煙所用表示装置１０が設置されており、喫煙所用表示装置１０もＬＡＮ５を介して管理装置６と接続されている。喫煙所ＳＡ並びに表示装置１０に係る構成について、詳しくは後述する。
【００１０】
図１に示す遊技機１はＣＲパチンコ機であり、盤面１１に玉を発射する発射装置を構成する操作ハンドル１２、上部受皿１３、下部受皿１４を有すると共に、盤面１１に、液晶表示部１５、始動口１６、大入賞口１７を有する。
【００１１】
遊技者が操作ハンドル１２を操作すると、玉が盤面１１に発射され、その玉が始動口１６に入賞すると、その入賞に応じた数の玉を払出したり大当り抽選を行ったりする。大当り抽選では、液晶表示部１５において所謂特別図柄（特図）による図柄変動を実行し、停止表示された図柄が大当り図柄の場合に大当りが発生する。大当りが発生すると、例えば１５ラウンド分だけ大入賞口１７を開放する。尚、遊技機１は、遊技者による遊技が進行することに応じて、打ち込んだ玉の玉数である投入媒体数を特定可能なアウト信号、払出された玉の数である払出媒体数を特定可能なセーフ信号、大当り状態を特定可能な大当り信号等の各種の遊技信号を出力する。
【００１２】
計数貸出ユニット２は、各遊技機１の左側に配置され、所謂各台計数機能を備える。計数貸出ユニット２は、現在の運用状態（例えば正常状態、エラー状態等）を示す状態表示部２１、紙幣が投入される紙幣投入口２２、タッチパネル式の液晶表示部２３、１単位分（単位付与数）の玉を払い出すための払出ボタン２５、払出された玉が通過する払出ノズル２６、一般カード８或いは会員カード９が挿入されるカード挿入口２７、遊技機１の下部受皿１４の下方に位置する着脱可能な計数受皿２８等を備えている。また、計数貸出ユニット２は、図示しないＣＰＵ、ＲＯＭ、ＲＡＭ、Ｉ／Ｏを有する制御部、各種信号を送受信する送受信部等を備える。
【００１３】
一般カード８には、カードを特定可能な一般ＩＤが記録されているとともに、計数貸出ユニット２に入金された入金残高や持玉数が記録される。この一般カード８の持玉数は当日のみ有効で、入金残高は翌日以降も利用可能とされている。
会員カード９には、会員登録を行った遊技者を特定可能な会員ＩＤが記録されているとともに入金残高が記録される。会員カード９に対応する持玉数や貯玉数は管理装置６の会員口座に記憶される。この会員カード９の持玉数、貯玉数、並びに入金残高は、翌日以降も利用可能とされている。
【００１４】
計数貸出ユニット２は、以下に示す機能を備えている。
（１）カード８，９の未挿入状態で紙幣投入口２２から入金があったとき、図示しないカードストック部に収納している一般カード８をカードＲＷ（図示略）へ繰り出して、その入金金額（１０００円単位）を記憶するとともに、当該入金金額（入金残高）を液晶表示部２３に表示する。このとき、１度数（５００円）は、貸出単価が４円のパチンコ機では１２５玉、貸出単価が１円のパチンコ機では５００玉であるから、入金残高に相当する度数を液晶表示部２３に表示してもよい。
（２）遊技機１の貸出ボタン（図示略）の操作に応じて入金残高の範囲内で１度数に相当する玉を遊技機１内部の払出機構から貸し出す貸出処理を行う。このとき、遊技機１から計数貸出ユニット２に１度数分の玉を払い出したことを示す信号が送信されるので、液晶表示部２３に表示されている入金残高から１度数分を減額するとともに、貸し出した玉数を示す貸出玉数を特定可能な売上信号を送信する。
【００１５】
（３）遊技機１の下部受皿１４から落下して計数受皿２８で受けられた玉が図示しない計数部に流入することで、流入した玉を計数し、その計数した玉数である計数玉数を液晶表示部２３に表示する。
（４）払出ボタン２５の操作に応じて計数玉数（持玉数）又は貯玉数（会員遊技者の場合）の範囲内で１度数ずつ前記払出機構から払い出す。
【００１６】
（５）遊技機１の返却ボタン（図示略）の操作に応じて入金残高及び持玉数をカード挿入口２７に挿入されている一般カード８に記録して発行する。会員カード９が挿入されている場合は、入金残高を会員カード９に記録すると共に持玉数を管理装置６に送信してから会員カード９を発行する。こうしたカード８，９の発行（返却）処理を行う場合、係る発行情報を管理装置６へ送信し、管理装置６側にも記憶する。
（６）一般カード８がカード挿入口２７に挿入された場合は、一般カード８に記録されている入金残高及び持玉数を読出して液晶表示部２３に表示する。会員カード９が挿入された場合は、会員カード９に記録されている入金残高を読出して液晶表示部２３に表示すると共に持玉数を管理装置６から受信して表示し、又、暗証番号の入力を条件として貯玉数を管理装置６から受信して表示する。
【００１７】
図２は遊技情報表示装置３の正面図であって、各種の遊技情報を表示する基本遊技情報画面を例示している。遊技情報表示装置３は、同図の遊技情報の他、遊技場からの案内情報等を表示可能である。遊技情報表示装置３は、遊技機１と１対１で対応しており、各遊技機１の上方に配置されている。
【００１８】
遊技情報表示装置３は、液晶表示部３１、ランプ部３２、呼出ボタン３３ａ、メニューボタン３３ｂ、その他リセットボタン等を含む操作ボタン群３３、リモコン受光部３４等を備えている。呼出ボタン３３ａは、遊技者が遊技場の従業員を呼び出すための操作ボタンであり、メニューボタン３３ｂは、所定のメニューをポップアップ表示するための操作ボタンであり、前記リセットボタンは、個人の遊技情報を初期化するための操作ボタンである。リモコン受光部３４は、遊技場の従業員が携帯する操作リモコン３５（図３のみ図示）から送信されるリモコン信号を受光する。
【００１９】
図３は、遊技情報表示装置３を中心に示す機能ブロック図である。遊技情報表示装置３の制御部３０は、ＣＰＵ３０ａ、ＲＯＭ３０ｂやＲＡＭ３０ｃといった記憶部３０ｍ、Ｉ／Ｏ３０ｄ等を有するマイクロコンピュータを主体に構成されている。制御部３０には、管理装置６や遊技機１との間で各種信号や各種情報を送受信する送受信部３０ｅの他、上記した液晶表示部３１、ランプ部３２、呼出ボタン３３ａ、操作ボタン群３３、リモコン受光部３４等が接続されている。また、制御部３０には、液晶表示部３１の前面側に重なるタッチパネル３６が接続されており、タッチパネル３６にて遊技者等のタッチ操作を受付ける。
【００２０】
遊技情報表示装置３は、制御部３０（以下、適宜「遊技情報表示装置３」と略す）の表示制御により、液晶表示部３１における表示領域を複数の表示領域（例えば図２に示すメイン表示領域４０と第１〜第６サブ表示領域４１〜４６）に区分可能である。遊技情報表示装置３は、遊技機１からの遊技信号を中継装置４経由で受信して各種の遊技情報を作成して、各表示領域４０〜４６に表示したり記憶部３０ｍに記憶したりする。また、遊技情報表示装置３は、管理装置６から受信した各種情報を、各表示領域４０〜４６に表示したり記憶部３０ｍに記憶したりする。
【００２１】
図２に示すように、液晶表示部３１において、基本遊技情報画面を表示する場合、メイン表示領域４０は、大当り数を該当期間単位（営業日の当日、１日前、２日前）で表示するが、操作ボタン群３３にて遊技情報の切替操作があった場合には、図示しない他の遊技情報を表示する表示状態へと表示を切替える。第１サブ表示領域４１は、通常状態にて発生した大当りである初当り数（つまり確変状態での大当り数を除いた大当り数）を該当期間単位で表示する。第２サブ表示領域４２は、大当り中の出玉が基準値（例えば１０００玉）以上である大当りである「超」と、それ未満である「小」の大当り数を表示する。第３サブ表示領域４３は、所定の基準時（例えば対応する機種の導入時）からの営業日単位の最高の獲得玉数を表示する。第４サブ表示領域４４は、初期化条件の成立（営業開始や特別状態の終了等の成立）後からのスタート（図柄変動数）を表示する。第５サブ表示領域４５は、大当り単位のスタートをグラフ化した所謂スタート履歴グラフを表示する。第６サブ表示領域４６は、機種名を表示する。
【００２２】
図３に示す管理装置６の制御部６０は、ＣＰＵ、ＲＯＭやＲＡＭといった記憶部６０ｍ、Ｉ／Ｏ等を有するマイクロコンピュータを主体に構成されている。制御部６０には、モニタ６ａ及びキーボード６ｂ（図１参照）が接続されるとともに、各種信号を送受信する送受信部や、プリンタ（何れも図示略）が接続されている。
【００２３】
また、管理装置６の制御部６０（以下、適宜「管理装置６」と略す）は、上記した遊技機１や計数貸出ユニット２、遊技情報表示装置３等から送信される各種の遊技信号に基づいて、遊技情報を含む各種情報を管理・集計し、自身６０の記憶部６０ｍに記憶する。
【００２４】
ところで、「背景技術」に記載したように、昨今の受動喫煙防止の要請を受け、各遊技場で遊技中の喫煙を禁止する一方、遊技場内の一角に喫煙所ＳＡを設ける動きが広がりつつある。もっとも、遊技場側でこのような取組みを行った場合、喫煙をする遊技者は遊技を一旦中断して喫煙所ＳＡへ移動せざるをえず、喫煙しているときに遊技機１が空席とみなされて、残っている持玉や入金残高が従業員に整理されてしまうという事態が発生する恐れがある。また、遊技場側にとっては、各遊技者の喫煙時間が長くなればなるほど遊技機１の稼動率が低下してしまうという問題もある。
【００２５】
そこで、本実施形態の遊技場用管理システム１００にあっては、各遊技機１にて遊技者が喫煙休憩を開始する際に、当該遊技者又は従業員が操作する喫煙開始操作手段を備えており、その喫煙開始操作手段の操作に基づいて、当該遊技機１が喫煙休憩状態であることを遊技情報表示装置３で表示し、或いは、現在喫煙状態にある遊技機１の台番を喫煙所ＳＡ用の表示装置１０で表示する構成としている。係る構成について、「１．遊技情報表示装置での喫煙休憩開始操作と表示処理」、「２．喫煙所用表示装置の構成と表示処理」の順に説明する。
【００２６】
＜１．遊技情報表示装置での喫煙休憩開始操作と表示処理＞
遊技者は、遊技機１での遊技中に喫煙をしたいとき例えば、対応する遊技情報表示装置３においてメニューボタン３３ｂを押下することで、その表示部３１に、図示しないメニュー画面を表示させ、そのメニュー画面で「喫煙」に関する項目をタッチ操作により選択する。このとき、遊技情報表示装置３は、遊技者の「喫煙」に関する項目が選択されると、これに応じてメニュー画面から図５の喫煙休憩ボタン表示画面に遷移する。
【００２７】
図５の喫煙休憩ボタン表示画面では、表示部３１において、「喫煙休憩を開始しますか？」とのメッセージ並びに「はい」ボタン５１及び「いいえ」ボタン５２をメイン表示領域４０に表示するとともに、その余のサブ表示領域４１〜４６に前記遊技情報を表示する。ここで、遊技者により、図５の表示画面で「いいえ」ボタン５２のタッチ操作が行われると、遊技情報表示装置３は、元のメニュー画面或いは図２の基本遊技情報画面に戻る。
【００２８】
一方、図５の表示画面で「はい」ボタン５１のタッチ操作が行われると、遊技情報表示装置３は、カード挿入口２７からカード８，９が排出されていることを条件に、図５の表示画面から図６の喫煙休憩中画面に遷移する。
【００２９】
なお、「はい」ボタン５１がタッチ操作された時点で、遊技情報表示装置３により排出すべきカード８，９があると判断された場合（例えば入金残高や持玉数が０でない一般カード８が挿入されている場合）、図５の表示画面に「カードを排出して下さい」とのメッセージを表示し、遊技機１の前記返却ボタンの操作に応じて当該カード８，９が挿入口２７から排出されると、図６の喫煙休憩中画面に遷移する。このように、遊技情報表示装置３における液晶表示部３１や操作ボタン群３３、タッチパネル３６、或いは前記返却ボタンは、遊技者が喫煙休憩を開始するときに当該遊技者が操作する喫煙開始操作手段に相当する。
【００３０】
図６の喫煙休憩中画面では、表示部３１において、「ただいま喫煙休憩中！」とのメッセージＭ並びに喫煙休憩開始からの「経過時間」ｔをメイン表示領域４０に表示し、その余のサブ表示領域４１〜４６に遊技情報を表示する。つまり、遊技情報表示装置３（遊技情報表示手段）は、「はい」ボタン５１のタッチ操作に基づいて、当該遊技機１が喫煙休憩状態であることを識別可能なメッセージＭを図６の如く画面表示するとともに、そのタッチ操作された時点を起算点（開始時刻）として計時を開始し、その開始時刻からの「経過時間」ｔを画面に表示する。また、遊技情報表示装置３は、図６の画面へ遷移するとき、喫煙休憩状態にある当該遊技機１の番号（識別情報としての台番）と当該開始時刻（喫煙休憩開始時刻）とを含む喫煙情報を管理装置６へ送信する。
【００３１】
こうして、遊技者が喫煙のため離席するとき、直前まで遊技をしていた遊技機１について、喫煙休憩中である旨を、図５の表示画面でのボタン５１操作により当該遊技情報表示装置３の表示部３１で（図６の喫煙休憩中画面で）明示することができる。他方、管理装置６は、喫煙休憩開始操作たるボタン５１操作に基づいて、遊技情報表示装置３から送信された開始時刻を当該遊技機１の台番と関連付けて自装置６の記憶部６０ｍ（喫煙情報記憶手段）に記憶し、係る喫煙情報（喫煙休憩状態）を遊技機１毎に管理する。
【００３２】
この後、遊技者が喫煙所ＳＡでの喫煙を終えて、同遊技機１で遊技を再開しようとするとき、遊技情報表示装置３では図６の喫煙休憩中画面が継続して表示されているため、喫煙休憩に要した時間ｔ（図６の例では５分２７秒）を把握できる。この場合、遊技者による喫煙休憩解除操作として、カード８，９を挿入口２７へ挿入する操作が行われると、遊技情報表示装置３は、喫煙休憩中画面から元の基本遊技情報画面（図２参照）に遷移し、その解除操作がなされた旨（或いは喫煙休憩状態が終了した旨）と当該遊技機１の台番とを含む解除情報を管理装置６へ送信する。
【００３３】
また、遊技情報表示装置３では、上記した喫煙休憩状態が終了した時点からの遊技情報を区別して集計し、表示部３１で表示することが可能に構成されている。具体的には、遊技情報表示装置３は、遊技者による喫煙休憩解除操作後、遊技が再開されるときに、営業開始からのゲーム数（図２の第４サブ表示領域４４のスタート）とは別に、ゼロリセットしたゲーム数（スタートの回数０）を他の表示領域４３等に表示させ、集計を開始する。
【００３４】
このように、喫煙休憩終了後遊技を再開してから大当りが発生するまでの期間、スタート等の遊技情報を別個に集計して、表示領域４３，４４に並べて表示させる（或いは操作ボタン群３３での遊技情報の切替操作で交互に表示させる）ことにより、営業開始からのスタートの回数とは別に、喫煙休憩終了からのスタートの回数を把握することが可能となる。これにより、喫煙休憩と大当りに何らかの因果関係があると考えている遊技者に対して客観的な判断材料を提供することができる。
【００３５】
＜２．喫煙所用表示装置の構成と表示処理＞
遊技場内で喫煙できるスペースとして区画された喫煙所ＳＡには、灰皿等の他、喫煙所用表示装置１０（喫煙所表示手段）が設けられている。喫煙所用表示装置１０は喫煙所ＳＡに一台以上設置されるものであり、図１では、喫煙所用表示装置１０を複数（二台）設置した例を示している。また、図４では、喫煙所用表示装置１０の機能ブロック図を示している。
【００３６】
図４に示すように、喫煙所用表示装置１０の制御部７０は、ＣＰＵ７０ａ、ＲＯＭ７０ｂやＲＡＭ７０ｃといった記憶部７０ｍ、Ｉ／Ｏ７０ｄ等を有するマイクロコンピュータを主体に構成されている。制御部７０（以下、適宜「喫煙所用表示装置１０」と称す）には、管理装置６等との間で各種信号や各種情報を送受信する送受信部７０ｅの他、液晶表示部７１が接続されている。液晶表示部７１は、喫煙所ＳＡ内で喫煙をしている遊技者に対して、喫煙休憩中の遊技機１に関する情報を表示する、比較的大型のディスプレイで構成されている。
【００３７】
図７は、喫煙所用表示装置１０の液晶表示部７１に表示される台番一覧画面を示している。同図に示すように、台番一覧画面には、現在喫煙状態にある遊技機１の「台番」が表示されるとともに、その台番について喫煙休憩開始操作が行われた「開始時刻」と、その開始時刻から現在時刻までの「経過時間」ｔとが分単位で表示される。この表示は、管理装置６から送信される喫煙情報に基づくものであって自装置１０の記憶部７０ｍの記憶内容に基づいて表示されるものである。このように、喫煙情報は、喫煙所用表示装置１０側の記憶部７０ｍにも記憶され、各装置６，１０の記憶部６０ｍ，７０ｍは、喫煙情報記憶手段に相当する。
【００３８】
また、図７の台番一覧画面では、台番「５５２」と「６」の「呼出」の表示がなされときの表示例を示している。喫煙所用表示装置１０は、各遊技機１について、喫煙休憩状態を開始してからの経過時間ｔが予め記憶部７０ｍに記憶された所定時間ｔ０（例えば１０分）に達したと判断した時点で、該当する「台番」の「呼出」表示を行う。図７の例では、台番「５５２」と「６」の欄をハッチングにより強調表示しているが、「呼出」の報知態様は、喫煙所ＳＡ内の遊技者による識別が可能な報知を行うものであればよい。喫煙休憩に係る所定時間は、遊技場側の任意で設定されるものであり、経過時間ｔが１０分に達した時点で遊技者の「呼出」状態とし、速やかに遊技機１へ戻ることを促す。
【００３９】
図８は、上記した台番一覧画面の表示に関して喫煙所用表示装置１０により所定周期で実行される処理の例を表している。ここで、管理装置６は、遊技者による喫煙休憩開始操作（或いは喫煙休憩解除操作）に伴い、遊技情報表示装置３から送信された喫煙情報（或いは解除情報）を、喫煙所用表示装置１０へ送信するものとする。
【００４０】
即ち先ず、喫煙所用表示装置１０は、管理装置６から喫煙情報を受信したと判定すると（Ｓ１：ＹＥＳ）、その受信した台番について前記開始時刻からの経過時間ｔを求める（Ｓ２）。そして、喫煙所用表示装置１０は、該当する「台番」について「開始時刻」と、「経過時間」を識別可能なｔとを分単位で表す表示用データを作成して画面表示し（Ｓ３、図７参照）、リターンする。尚、係る画面表示は、経過時間そのものを数値ｔで表示する態様に代えて（或いは併せて）、例えばインジケータの如き図表で表示する態様でもよく、経過時間を識別可能な情報であれば、どのような表示態様の情報（表示用データ）であってもよい。
【００４１】
喫煙所用表示装置１０は、管理装置６から喫煙情報を受信していない場合（Ｓ１：ＮＯ）、表示用データを作成した台番について（つまり経過時間ｔを計時している遊技機１について）、その経過時間ｔが所定時間ｔ０の１０分に達したか否かを判定する（Ｓ４）。喫煙所用表示装置１０は、経過時間ｔが１０分に達したと判定すると（Ｓ４：ＹＥＳ）、該当する台番の「呼出」表示を行う（Ｓ５）。
【００４２】
また、喫煙所用表示装置１０は、表示用データを作成した台番について（Ｓ１とＳ４で夫々ＮＯ）、解除情報を受信したか否かを判定する（Ｓ６）。喫煙所用表示装置１０は、解除情報を受信したと判定すると（Ｓ６：ＹＥＳ）、該当する台番の表示をクリアして（Ｓ７）、この処理を終了する（リターンする）。
【００４３】
以上の実施形態によれば、次のような効果を奏する。
遊技場用管理システム１００において、喫煙休憩の開始に際して喫煙開始操作（喫煙休憩開始操作）をすることにより明確に喫煙休憩中であることを遊技情報表示装置３にて示すことができるので、喫煙休憩中に空台とみなされて自分の遊技機１が整理されてしまうことがない。また、喫煙所ＳＡ内では喫煙休憩中の遊技機１の識別情報が喫煙所用表示装置１０で表示されるため、遊技者に対して喫煙休憩中であることを明示し、喫煙後は速やかに遊技機１へ戻ることを意識付けることができる。
【００４４】
遊技情報表示装置３における喫煙休憩開始操作に際し、計数貸出ユニット２のカード挿入口２７にカード８，９が挿入されている状態では喫煙休憩を不可とし、カード８，９が排出されたことを条件として喫煙休憩を許可するようにしたので、喫煙休憩中のカード盗難を予防することができる。
【００４５】
（その他の実施形態）
本発明は、上記実施形態に限定されることなく、次のように変形または拡張したり、各変形例を上記実施形態と組合せたり、各変形例を組合せるようにしてもよい。
【００４６】
喫煙休憩開始操作に際し、計数貸出ユニット２からカード８，９が排出されたことを条件として喫煙休憩を許可するようにしたが、図５の「はい」ボタン５１のタッチ操作がなされると、無条件に喫煙休憩を許可する（図６の喫煙休憩中画面に遷移する）ようにしてもよい。この場合、喫煙休憩状態において、対応する計数貸出ユニット２での各種操作を制限する。具体的には、計数貸出ユニット２における持玉の払い出し、前記貸出処理、カード８，９の発行処理等を禁止し、係る禁止状態を、遊技情報表示装置３にて喫煙休憩解除操作がなされるまで継続する。このときの喫煙休憩解除操作は、例えば遊技情報表示装置３における表示部３１でのタッチ操作により、喫煙休憩終了ボタン（図示略）を表示させ、同ボタンのタッチ操作により行うようにしてもよい。
【００４７】
遊技者自らが喫煙休憩開始操作を行うようにしたが、遊技場の従業員が喫煙休憩開始操作を行うようにしてもよい。この場合例えば、遊技者が遊技情報表示装置３の呼出ボタン３３ａを押下することで従業員を呼び出し、喫煙休憩を申告する。これに応じて従業員がリモコン３５（喫煙開始操作手段）を操作して、遊技情報表示装置３に対し喫煙休憩開始を示す信号を送信することにより、喫煙休憩開始を認識させ、図２の基本遊技情報画面から図６の喫煙休憩中画面に遷移させることができる。
【００４８】
遊技機１としてパチンコ機を例示したが、スロットマシンや、じゃん球遊技機であってもよい。
また、上記した各数値は例示であり、どのような数値を採用してもよいことは勿論である。
【符号の説明】
【００４９】
図面中、１は遊技機、３は遊技情報表示装置（遊技情報表示手段）、１０は喫煙所用表示装置（遊技情報表示手段）、３１は液晶表示部（喫煙開始操作手段）、３３は操作ボタン群（喫煙開始操作手段）、３６はタッチパネル（喫煙開始操作手段）、６０ｍ，７０ｍは記憶部（喫煙情報記憶手段）、１００は遊技場用管理システム、ＳＡは喫煙所である。
【図１】
2020058451.tif 000003
【図２】
2020058451.tif 000004
【図３】
2020058451.tif 000005
【図４】
2020058451.tif 000006
【図５】
2020058451.tif 000007
【図６】
2020058451.tif 000008
【図７】
2020058451.tif 000009
【図８】
2020058451.tif 000010